(57)【要約】【課題】安価で長期かつ安定的に運転可能な懸濁液ろ過システムを提供する。【解決手段】懸濁水が供給される濾過槽と、濾過槽内に設置された懸濁水から懸濁物質を分離する複数のフィルターモジュールと、フィルターモジュールに付着する懸濁物質を洗浄水により剥離する剥離モジュールとを含む。【選択図】図１
2020131170.tif 000002
【特許請求の範囲】
【請求項１】
懸濁水が供給される濾過槽と、前記濾過槽内に設置された、前記懸濁水から懸濁物質を分離する複数のフィルターモジュールと、前記複数のフィルターモジュールで濾過された処理水を濾過槽から排出させる配管と、前記複数のフィルターモジュールに付着した懸濁物質を剥離する剥離モジュールを備える懸濁液ろ過システムであって、  
前記複数のフィルターモジュールの各々は、袋状に形成された平膜ろ材と、前記袋状に形成された平膜ろ材の形状を保持する形状保持管と、通水用の空間を保持する空間材と、を含み、互いに所定の間隔をあけて前記濾過槽内に配置され、
前記剥離モジュールは、前記所定の間隔をあけて配置されているフィルターモジュールの間にそれぞれ配置されるフィルター洗浄用配管を複数備え、前記複数のフィルター洗浄用配管の各々は複数の噴射口が前記フィルター洗浄用配管の長軸方向に沿って配置され、
前記剥離モジュールは前記濾過槽の上部に、その長手方向に沿って移動可能な走行台車に結合されていることを特徴とする懸濁液ろ過システム。
【請求項２】
懸濁水が供給される濾過槽と、前記濾過槽内に設置された、前記懸濁水から懸濁物質を分離する複数のフィルターモジュールと、前記複数のフィルターモジュールで濾過された処理水を濾過槽から排出させる配管と、前記複数のフィルターモジュールに付着した懸濁物質を剥離する剥離モジュールを備える懸濁液ろ過システムであって、  
前記複数のフィルターモジュールの各々は、袋状に形成された平膜ろ材と、前記袋状に形成された平膜ろ材の形状を保持する形状保持管と、通水用の空間を保持する空間材と、を含み、互いに所定の間隔をあけて前記濾過槽内に配置され、
前記剥離モジュールは、前記所定の間隔をあけて配置されているフィルターモジュールの間にそれぞれ配置されるフィルター洗浄用配管を複数備え、前記複数のフィルター洗浄用配管の各々は複数の噴射口が前記フィルター洗浄用配管の長軸方向に沿って互いに対向する２列になるように設けられ、
前記２列で配置された噴射口の各々の位置は等間隔又は千鳥状になるように配置されていることを特徴とする懸濁液ろ過システム。
【請求項３】
懸濁水が供給される濾過槽と、前記濾過槽内に設置された、前記懸濁水から懸濁物質を分離する複数のフィルターモジュールと、前記複数のフィルターモジュールで濾過された処理水を濾過槽から排出させる配管と、前記複数のフィルターモジュールに付着した懸濁物質を剥離する剥離モジュールを備える懸濁液ろ過システムであって、  
前記複数のフィルターモジュールの各々は、袋状に形成された平膜ろ材と、前記袋状に形成された平膜ろ材の形状を保持する形状保持管と、通水用の空間を保持する空間材と、を含み、互いに所定の間隔をあけて前記濾過槽内に配置され、
前記形状保持管は、複数の水取孔を含み、前記袋状に形成された平膜ろ材の外部に開口を有する取水口部を介して前記配管に接続され、
前記剥離モジュールは、前記所定の間隔をあけて配置されているフィルターモジュールの間にそれぞれ配置されるフィルター洗浄用配管を複数備え、前記複数のフィルター洗浄用配管の各々は複数の噴射口が前記フィルター洗浄用配管の長軸方向に沿って配置され、
前記複数の噴射口を介して噴射される洗浄水の前記平膜ろ材における被噴射領域の各々は、互いにオーバーラップする領域を有することを特徴とする懸濁液ろ過システム。
【請求項４】
懸濁水が供給される濾過槽と、前記濾過槽内に設置された、前記懸濁水から懸濁物質を分離する複数のフィルターモジュールと、前記複数のフィルターモジュールで濾過された処理水を濾過槽から排出させる配管と、前記複数のフィルターモジュールに付着した懸濁物質を剥離する剥離モジュールを備える懸濁液ろ過システムであって、  
前記複数のフィルターモジュールの各々は、袋状に形成された平膜ろ材と、前記袋状に形成された平膜ろ材の形状を保持する形状保持管と、通水用の空間を保持する空間材と、を含み、互いに所定の間隔をあけて前記濾過槽内に配置され、
前記形状保持管は前記袋状に形成された平膜ろ材の外部に開口を有する取水口部を介して前記配管に接続され、
前記剥離モジュールは、前記所定の間隔をあけて配置されているフィルターモジュールの間にそれぞれ配置されるフィルター洗浄用配管を複数備え、前記複数のフィルター洗浄用配管の各々は複数の噴射口が前記フィルター洗浄用配管の長軸方向に沿って配置され、
前記複数の噴射口の口径は、前記フィルター洗浄用配管の長軸方向において、前記濾過槽の底面に近い噴射口の口径のほうが前記濾過槽の上端に近い噴射口の口径よりも大きく構成されていることを特徴する懸濁液ろ過システム。
【請求項５】
前記袋状に形成された平膜ろ材は、複数層からなり、上層段から下層段になるに従い、任意の３ｃｍ２当たりの平均ポア径が大きくなる構成であることを特徴する請求項１〜４のいずれかに記載の懸濁液ろ過システム。
【請求項６】
前記洗浄水の噴射はパルス噴射であることを特徴とする請求項３に記載の懸濁液ろ過システム。
【請求項７】
前記洗浄水は気液混合水であることを特徴とする請求項３又は６に記載の懸濁液ろ過システム。
【請求項８】
前記平膜ろ材は、気泡を含む樹脂で被膜されていることを特徴とする請求項１〜７のいずれかに記載の懸濁液ろ過システム。
【発明の詳細な説明】
【技術分野】
【０００１】
本発明は、工事現場（河川工事、浚渫工事、下水工事、道路工事）等で排出される懸濁水、工場設備（下水道、化学反応プロセス、無機物・金属研磨、無機物粉砕工程）等で排出される懸濁水、重金属汚水処理工程、放射性汚染物質処理工程、ウォータージェット切断工程、カッター等の切断工程、高炉から取り出されたスラグの冷却工程で排出される懸濁水を浄化するための懸濁水ろ過システムに関する。
【背景技術】
【０００２】
懸濁水の個液分離ろ過は、一般的に凝集剤（ＰＡＣ、硫酸バンド）等で液中の微細粒子からなる懸濁物質（以下、懸濁粒子という。）を凝集させてフロック化（凝集物）させることで、液中に沈殿させ、上澄みの清浄水を排出する凝集沈殿分離処理が一般的に行われている。しかし、この方式の濾過方法では、一定量の凝集剤を懸濁水に投入し、攪拌する必要がある。したがって、凝集剤に要するコストが常に必要になるという経済的な問題がある。また、攪拌し、懸濁粒子が凝集し、液中に沈殿させるプロセスには一定の反応時間を要するため、上記の工事現場や工場設備の運転で生じた懸濁水の処理に十分な処理量を確保しようとすると、どうしても装置が大型化してしまうという問題がある。
【０００３】
さらに、凝集剤を用いた個液分離ろ過は、過懸濁水の懸濁物質の最大濃度に合わせて凝集剤を定量投入するように制御されるため、懸濁物質の濃度低下時は、凝集剤は過剰投入となり、余分に投入された凝集剤は上澄みの清浄水に混ざり、そのまま排出されてしまうため、河川に住む魚などに被害を与える等、自然環境に二次公害を引き起こすことが指摘されている。
【０００４】
懸濁水の個液分離ろ過を、凝集剤を用いることなく実施する場合は、フィルタで懸濁粒子を液体から分離することになる。懸濁水に含まれる懸濁粒子は、針状や球形状などの様々な形状の粒子の場合もあり、ろ過装置のフィルタは、目詰まりしやすいうえに、フィルタを洗浄すると、その摩耗が激しいという問題があった。
【０００５】
例えば、特許文献１には、エッジが鋭角又は円弧状の断面を有する長尺板状のスクレーパを有する剥離機構が、フィルタの外表面に近接して配設させることにより、駆動部によりフィルタを回転させるだけで、スクレーパによりフィルタのろ布表面に付着した懸濁物質を剥離させることが可能となり、ろ過処理中でもフィルタ表面を清掃してろ過の処理能力を略一定に保つことができる懸濁水処理装置及び布表面に付着した懸濁物質を剥離する剥離機構が記載されている。
【０００６】
しかしながら、長尺板状のスクレーパからなる剥離機構では、ろ布に付着した、特に、針状の微細な粒子を十分に剥離することが難しく、また、スクレーバをろ布にしっかりと当てる必要があるため、ろ布の消耗が激しく、長期間安定的に大量のスラグの微細粒子を含む懸濁水のろ過装置としては不十分であった。
【先行技術文献】
【特許文献】
【０００７】
【特許文献１】特許第４３９４９９０号公報
【発明の概要】
【発明が解決しようとする課題】
【０００８】
本発明は上記課題を解決するためになされたもので、工事現場・工場等で排出される。不定形な微粒子からなる懸濁物質を含む懸濁水の大量処理を、構造が簡単でろ過特性やメンテナンス性に優れ、長期的に安定して運転でき、しかも運転費用を抑えることを可能とする懸濁液ろ過システムを提供することを目的とする。
【０００９】
本発明は、上記問題を解決するために、化学薬品を使用せず、オープン型の濾過水槽の中にフィルターモジュールを浸漬させ、懸濁水自然ろ過（重力ろ過）を可能とする構造からなるため、凝集剤を不要とし、電気的エネルギーを節約できる経済的なフィルターろ過システムに関するものである。
【００１０】
本発明は、フィルターモジュールに付着した懸濁粒子の剥離を本発明にかかるジェット水流で行うため、目詰まりによる濾過処理量の低下を防止しつつフィルターモジュールの長寿命化を図ることを目的とし、さらにはフィルターモジュールを使い捨てにせず、長期間にわたり使用でき、経済的に長期間（数年以上）安定して懸濁水の濾過を実現することを目的とする。
【００１１】
本発明にかかる懸濁液ろ過システムは、フィルターモジュールに付着する懸濁粒子が球状若しくは針状など様々な形状からなる粒子の場合に、従来の懸濁液ろ過システムに比べ、長期間にわたり使用でき、経済的に長期間（数年以上）安定して懸濁水の濾過を実現できるという効果を顕著に発揮する。フィルターモジュールに付着する懸濁粒子が球状若しくは針状など様々な形状からなる粒子の場合、従来の方法ではフィルターを傷つけることなく懸濁粒子を均一に剥離することが難しいためである。
【課題を解決するための手段】
【００１２】
本発明の一実施形態によれば、懸濁水が供給される濾過槽と、濾過槽内に設置された、懸濁水から懸濁物質を分離する複数のフィルターモジュールと、複数のフィルターモジュールで濾過された処理水を濾過槽から排出させる配管と、複数のフィルターモジュールに付着した懸濁物質を剥離する剥離モジュールを備える懸濁液ろ過システムであって、複数のフィルターモジュールの各々は、袋状に形成された平膜ろ材と、袋状に形成された平膜ろ材の形状を保持する形状保持管と、通水用の空間を保持する空間材と、を含み、互いに所定の間隔をあけて前記濾過槽内に配置され、剥離モジュールは、所定の間隔をあけて配置されているフィルターモジュールの間にそれぞれ配置されるフィルター洗浄用配管を複数備え、複数のフィルター洗浄用配管の各々は複数の噴射口が前記フィルター洗浄用配管の長軸方向に沿って配置され、剥離モジュールは前記濾過槽の上部に、その長手方向に沿って移動可能な走行台車に結合されていることを特徴とする懸濁液ろ過システムが提供される。
【００１３】
本発明の一実施形態によれば、複数のフィルター洗浄用配管の各々は複数の噴射口がフィルター洗浄用配管の長軸方向に沿って互いに対向する２列になるように設けられ、２列で配置された噴射口の各々の位置は千鳥状になるように配置されてもよい。
【００１４】
本発明の一実施形態によれば、複数の噴射口を介して噴射される洗浄水の前記平膜ろ材における被噴射領域の各々は、互いにオーバーラップする領域を有してもよい。
【００１５】
本発明の一実施形態によれば、複数の噴射口の口径は、前記フィルター洗浄用配管の長軸方向において、前記濾過槽の底面に近い噴射口の口径のほうが前記濾過槽の上端に近い噴射口の口径よりも大きく構成されてもよい。
【００１６】
本発明の一実施形態によれば、袋状に形成された平膜ろ材は、複数層からなり、上層段から下層段になるに従い、任意の３ｃｍ２当たりの平均ポア径が大きくなる構成であってもよい。
【００１７】
本発明の一実施形態によれば、洗浄水の噴射はパルス噴射であってもよい。
【００１８】
本発明の一実施形態によれば、洗浄水は気液混合水であってもよい。
【００１９】
平膜ろ材は、気泡を含む樹脂で被膜されていてもよい。
【図面の簡単な説明】
【００２０】
【図１】本発明にかかる懸濁水ろ過システムの一例の概略図
【図２】本発明にかかるフィルターモジュールの一例を示す概略図
【図３】フィルター洗浄用配管に設けられる複数の噴射口がフィルター洗浄用配管の長軸方向に対向する２列に設けられ、２列で配置された噴射口の各々の位置は千鳥状になることを示す概略図
【図４】フィルター洗浄用配管に設けられる複数の噴射口の一例を示す図
【図５】フィルター洗浄用配管の各噴射口にノズルを設け、扇状に洗浄水が噴射されることを示す概略図
【図６】（ａ）、（ｂ）フィルター洗浄用配管に拡散板を配置した場合の一例を示す概略図
【図７】フィルター洗浄用配管に配置された拡散板とフィルターモジュールの関係を示す概略図
【図８】複数の噴射口３０より洗浄水が袋状の平膜ろ材２２に扇状に噴射されていることを示す図
【図９】図８の点線で囲まれた袋状の平膜ろ材２２における洗浄水の被噴射領域の一例を示す図
【発明を実施するための形態】
【００２１】
以下、本発明の実施の形態を、図面等を参照しながら説明する。但し、本発明は多くの異なる態様で実施することが可能であり、以下に例示する実施の形態の記載内容に限定して解釈されるものではない。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００２２】
（本発明にかかる懸濁水ろ過システムの概略）
図１は、本発明にかかる懸濁水ろ過システム１０の一例の概略図である。図１は懸濁水ろ過システム１０の説明の便宜のために、濾過槽の中の状態が分かるように記載されている。本発明にかかる懸濁水濾過システム１０は、懸濁水が供給される濾過槽８と、濾過槽８内に設置された懸濁水から懸濁物質を分離する複数のフィルターモジュール３と、複数のフィルターモジュールで濾過された処理水を濾過槽から排出させる処理水用の第１配管４と、配管４に備えられるポンプ１２と、前記ポンプ１２の前に前記処理水用の第１配管４より分岐される処理水用の第２配管１３とこれに設けられるバルブ６と、複数のフィルターモジュールに付着した懸濁物質を剥離する剥離モジュール（複数のフィルター洗浄用配管１と、複数のフィルター洗浄用配管１に洗浄水を送るための洗浄水用の配管５と、洗浄水を送るためのポンプ２と、及び濾過槽の上端に設けられた一対のレールを走行することで濾過槽の長手方向に移動可能に構成され、複数のフィルター洗浄用配管１をフィルターモジュール３の長手方向の端部から他端部まで移動させるためのフィルター洗浄用配管駆動部９）と、剥離モジュールに供給される洗浄水を提供する洗浄水管５とこれに備えられるポンプ２、及び濾過槽のＶ字状に傾斜した底面に溜まった懸濁物質を取り出す懸濁物質排出管７とから構成される。
【００２３】
本発明にかかる懸濁水ろ過システムは、自然ろ過（重力ろ過）を行なう。つまり、本発明にかかる懸濁水ろ過システムは、濾過槽の上端から懸濁水を供給し、濾過槽内に互いにほぼ平行に並ぶように配置された複数のフィルターモジュールを懸濁水に浸漬させ、複数のフィルターモジュールにより処理された処理水を取り出す取水口部を懸濁水の水面より下方に配置することにより、その水圧差だけで自然流下させ取水口部からろ過された浄化水を取り出すことで、自然ろ過（重力ろ過）を行なうものである。したがって、低消費エネルギーで長く安定的に動作することができる懸濁水ろ過システムである。
【００２４】
さらに本発明によれば、ポンプ吸引ろ過も可能である。複数のフィルターモジュールで濾過された処理水を濾過槽から排出させる処理水用の第１配管４に備えられるバルブ６の前に処理水用の第１配管４より分岐される処理水用の第２配管１３とこれに設けられるポンプ１２とを有するためである。ポンプ１２は、処理水用の第１配管４に流す水量（流量）を調整可能である。ポンプ１２により、流量を自然に流れる流量よりも大きくなるように調整することで、電気エネルギーを消費することになるが、濾過量を増やすことが可能となる。
【００２５】
以下、本発明にかかる懸濁水ろ過システムの各構成について説明する。
【００２６】
（フィルターモジュール）
図２は、フィルターモジュール３の一例を示す概略図である。なお、説明の便宜上、図２のＡ−Ａ’を境に一方を袋状の平膜ろ材、他方をフィルターモジュール３の内部構造を示している。フィルターモジュール３は、フィルターモジュール３の骨格ともなる形状保持管２１と、形状保持管２１を囲むように袋状に形成された平膜ろ材２２と、形状保持管２１の内側に設けられ、平膜ろ材２２を通過することで濾過された処理水の通水用の空間を保持する空間材２３とを含む。フィルターモジュール３は要求される懸濁水の処理能力に応じて複数用意され、図１に示すように、濾過槽内に互いにほぼ平行に並ぶように等間隔で配置される。
【００２７】
互いに隣接し合うフィルターモジュール３同士の間隔を狭くすると、濾過槽８内に設置できるフィルターモジュール３の数を増やすことができるため、濾過面を増やすことができる。しかしながら、互いに隣接し合うフィルターモジュール間の間隔は、ろ過水槽内を流れる懸濁水の流動抵抗に関係するため、フィルターモジュール３同士の間隔を狭くすると、ろ過水量が減少する傾向になるため、これらの要素を考慮して濾過槽８内に配置するフィルターモジュール３の数を決定するとよい。
【００２８】
（平膜ろ材）フィルターモジュール３に用いられる平膜ろ材は、合成繊維などからなる織布又は不織布であって、これに設けられる空孔（ポア）の大きさは１〜２０μｍである。特に３〜８μｍの空孔が好ましい。また、平膜ろ材は、複数層を積層した構造とする場合、空孔（ポア）の大きさを、上層段から下層段になるに従い、平均ポア径が大きくなる構成が望ましい。ここで、平均ポア径は、積層構造のろ材の任意の断面を切り出し、該断面の任意の箇所を倍率が１００００倍に設定された走査電子顕微鏡の観察面で観察される空孔（ポア）の大きさの平均値で評価する。
【００２９】
合成繊維などからなる織布又は不織布の素材としては、長期間の使用に耐えられる強度のある素材が望ましい。例えば、合成繊維としては、太さが０．１〜２０μｍ程度のポリアミド、ポリエステル、ポリオレフィン、ポリビニルアルコール系、ポリフルオロエチレン、ポリアクリロニトリル、酢酸ビニル、四フッ化エチレン、ポリ塩化ビニル、ポリ塩化ビニリデン、などが挙げられる。
【００３０】
平膜ろ材は、合成繊維などからなる織布又は不織布からなる平膜ろ材の最表面（懸濁水に接する面、別の言い方をすると、濾過面）、若しくは織布又は不織布を複数積層した構造の平膜ろ材の最表面を、気泡を含む樹脂で被膜してもよい。気泡は相対的に長径が大きい気泡と相対的に長径が小さい気泡が混在し、気泡同士は互いに連結するように構成されることで、気泡を含有する層の上面と下面を連通した構造とするのが望ましい。このように、平膜ろ材の最表面を気泡を含む樹脂で被膜することで、平膜ろ材の濾過面に、懸濁粒子を付着しにくくし、さらに剥離モジュールにより濾過面に付着した懸濁粒子、特に針状の懸濁粒子を剥離する際に生じてしまう摩耗に対する耐性を高めることが可能となる。
【００３１】
気泡を含む樹脂の材料は、たとえば、エポキシ樹脂、シリコン樹脂等が挙げられる。
【００３２】
また、平膜ろ材の最上層の表面（最表面）をイオン交換樹脂で被膜してもよい。懸濁水に含まれる懸濁物質の中には帯電した状態のものがあり、平膜ろ材の最上層の表面を懸濁物質の正負の帯電状態に合わせて適宜イオン交換樹脂を選択し、これを平膜ろ材の最上層の表面に被膜することで、懸濁粒子の平膜ろ材への付着を効果的に防止することが可能となる。
【００３３】
イオン交換樹脂としては、例えば、ジビニルベンゼンで架橋したポリスチレンなどの母体合成樹脂にフェノール性ヒドロキシ基、カルボキシ基、スルホ基など酸性基を結合させた高分子酸からなる陽イオン交換樹脂や、母体合成樹脂にアミノ基、イミノ基、アンモニウム基などの塩基性基を結合させた高分子塩基からなる陰イオン交換樹脂が挙げられる。
【００３４】
（袋状の平膜ろ材）
図２に示すとおり、平膜ろ材２２は、平膜の袋状に形成される。後述する略矩形状の形状保持管２１の上下に平膜ろ材を重ねて配置し、形状保持管の取水口部２４を外部に突出させた状態で、その周囲を縫製する、若しくは加熱圧着するなどの方法で袋状に形成することができる。
【００３５】
（形状保持管）
形状保持管２１は、例えば、内径の直径が０．５〜２．５ｃｍのパイプを略矩形状に形成したものである。前述のとおり、これを覆うように袋状の平膜ろ材２２が装着されるため、形状保持管２１は、袋状の平膜ろ材２２の形状を維持させるための枠材として機能する。
【００３６】
形状保持管２１の材料としては、例えば、塩化ビニルなどの合成樹脂や金属が挙げられる。
【００３７】
形状保持管２１には、図示しないが、平膜ろ材に接しない側に取水孔が所定の間隔で複数形成される。袋状の平膜ろ材２２の内側の水は濾過面を通過することで濾過された処理水である。取水孔の孔径は１〜１０ｍｍ程度であり、袋状の平膜ろ材２２の内側の処理水を抜き取るために形成されている。また、形状保持管２１には、袋状の平膜ろ材２２の外部に突出して配置され開口部を有する取水口部２４が形成される。取水口部２４は、濾過槽８内の処理水を濾過槽８から外部に排出させる配管４に接続されている。したがって、形状保持管内に取り込まれた処理水は、取水口部２４を介して処理水用の第１配管４からポンプ１２経由で吸引排水する。または処理水用の第２配管１３とバルブ６を介して自然排水し、最終的には濾過槽８の外部に排出される。
【００３８】
袋状の平膜ろ材２２は、その材料に起因して可撓性であるため、濾過工程中に袋状の平膜ろ材２２内の処理水が通る領域が狭くなってしまうおそれがある。そこで、袋状の平膜ろ材内部の処理水が通るための通水路を確保するために、たとえば、ポリエチレン又はポリアミドなどの合成樹脂や金属を三次元網目構造で構成した空間材２３を形状保持管２１の内側に設けてもよい。
【００３９】
変形例として、形状保持管２１は水取孔が複数形成されているため、濾過槽の外部に通じる処理水用の第２配管１３にコンプレッサを取り付け、取水口部２４から圧縮空気を逆に流すことにより、袋状の平膜ろ材２２の濾過面への懸濁粒子の付着による目詰まりを防止して、効率的に懸濁水のろ過処理を行なうようにしてもよい。
【００４０】
（剥離モジュール）
剥離モジュールの構成は、図１に基づいて説明すると、例えば、フィルターモジュール３の幅方向（図１のＸ方向）に渡って配置される複数のフィルター洗浄用配管１と、複数のフィルター洗浄用配管１の各々に複数備えられる噴射口（図示しない。）と、複数のフィルター洗浄用配管１に洗浄水を送るための洗浄水用の配管５と、洗浄水を送るためのポンプ２、及び複数のフィルター洗浄用配管１をフィルターモジュール３の長手方向の端部から他端部まで移動可能にするためのフィルター洗浄用配管駆動部９とから構成される。
【００４１】
（フィルター洗浄用配管）
フィルター洗浄用配管１の材料としては、塩化ビニルなどの合成樹脂やステンレスなどの金属が挙げられる。フィルター洗浄用配管１は、一端は剥離モジュールに供給される洗浄水を提供する洗浄水管５と連結されて洗浄水が供給される供給口１１であり、他端は閉塞した、断面が円形若しくは四角形の筒状体（パイプ形状）である。フィルター洗浄用配管１の長軸方向には一列に並んで設けられた複数の噴射口（図示しない。）が設けられる。フィルター洗浄用配管１の長さは、フィルターモジュール３の濾過面の幅、すなわち、上端と下端に渡って延在する長さにするとよい。
【００４２】
フィルター洗浄用配管１は、フィルターモジュール３とフィルターモジュール３の間（所定の間隔をあけて、互いに平行に配置されているフィルターモジュールの間）に配置される。したがって、フィルター洗浄用配管１に形成される複数の噴射口を筒状体（パイプ形状）の長軸方向に２列に向かい合うように設けることが望ましい。一方の列の噴射口から噴射される洗浄水は該噴射口に対向して位置するフィルターモジュール３の濾過面に付着した懸濁粒子を剥離し、他方の列の噴射口から噴射される洗浄水は、該噴射口に対向して位置するフィルターモジュール３の濾過面に付着した懸濁粒子を剥離することが可能となり、効率よくフィルターモジュール３に付着した懸濁粒子の剥離を実現できる。
【００４３】
なお、噴射口をフィルター洗浄用配管１の長軸方向に２列に向かい合うように設ける場合、図３に示すように、一の列に配置される噴射口３０と他方の列に配置される噴射口３０は千鳥状になるように配置するのが望ましい。２列からなる噴射口３０を千鳥状に配置すると、２列からなる噴射口３０を互いに対向するように配置する場合に比べ、噴射口から噴射される水の勢いを落とさないことが可能となる。
【００４４】
図３は、フィルター洗浄用配管１に設けられる噴射口３０の一例である。噴射口３０の形状は、円形又は楕円形のいずれでも良い。１つのフィルター洗浄用配管に設けられる複数の噴射口３０の大きさは、すべて同じ大きさにしてもよい。噴射口３０の大きさは、例えば、１．５ｍｍ程度である。噴射口３０の大きさは、袋状の平膜ろ材２２の濾過面に付着した懸濁粒子を吹き飛ばすのに必要な洗浄液の濾過面への打力を考慮して適宜調整される。濾過面への打力としては、１．０〜５．０ｋｇ／ｃｍ２が望ましい。
【００４５】
フィルター洗浄用配管１は濾過槽８の底面と交差するように配置されるところ、本発明においては、図４に例示するように、噴射口３０の大きさを濾過槽８の上端から下端（底面）に向かうにつれて大きくなるように構成する。例えば、フィルター洗浄用配管１の上端（濾過槽８を参照して特定すると、濾過槽８の上端側）に配置された噴射口３０は、１つのフィルター洗浄用配管１に形成されるすべての噴射口の平均口径よりも小さくし、下端（濾過槽８を参照して特定すると、濾過槽８の下端側）に配置される噴射口の口径は該平均口径より大きくし、その間に配置される噴射口の口径を比例的に調整するように構成してもよい。
【００４６】
または、フィルター洗浄用配管１を濾過槽８の上端から下端（底面）に渡る領域を上部、中部、下部に３分割し、上部に配置される噴射口の平均口径Ａと中部に配置される噴射口の平均口径Ｂと下部に配置される噴射口の平均口径Ｃの関係をＡ<Ｂ<Ｃとしてもよい。
【００４７】
洗浄液の噴射圧力は、フィルター洗浄用配管１の下端にいけばいくほど、弱まる傾向がある。本件発明のように、噴射口３０の口径を調整すると、フィルター洗浄用配管１の上端から下端にかけて配置される噴射口３０から噴射される洗浄液の噴射圧力を下水深水圧の強弱に影響されずに均一化させることが可能となる。
【００４８】
フィルター洗浄用配管１から噴射される洗浄液の噴射圧力をフィルター洗浄用配管１の長軸方向に渡って均一になると、袋状の平膜ろ材２２の濾過面に付着した懸濁粒子をまんべんなく剥離することが可能となる。
【００４９】
ところで、フィルター（濾材）の濾過面に付着した懸濁粒子の剥離にばらつきがある場合、フィルター（濾材）の濾過面に十分に懸濁粒子が剥離されずに残ってしまう領域ができてしまう。懸濁粒子が剥離されずに付着したままの領域は、十分に懸濁粒子が剥離されている領域に比べ懸濁粒子がますます付着しやすくなり、フィルター（濾材）の濾過能力の低下を引き起こす原因にもなる。
【００５０】
フィルター洗浄用配管１から噴射される洗浄液の噴射圧力をフィルター洗浄用配管１の長軸方向に渡って均一にすることを可能とする構成を有する本発明にかかる剥離モジュールによれば、フィルター（濾材）を長期的に濾過能力が低下することを防ぐことができるため、長期かつ安定的に懸濁水濾過システムを運転することを可能となる。
【００５１】
フィルター洗浄用配管１に設けられる複数の噴射口３０の間隔は、複数の噴射口３０の口径が同じであれば、等間隔で噴射口３０が設けられる。一方、フィルター洗浄用配管１の上端から下端にかけて配置される噴射口３０の口径を変える場合は、噴射口３０の口径に応じて、袋状の平膜ろ材２２における被噴射領域の大きさが変わるので、噴射口３０の口径に応じて変動する被噴射領域の大きさを考慮して複数の噴射口３０の配置の間隔を決定することが望ましい。
【００５２】
例えば、噴射口３０が相対的に小さい場合は被噴射領域も相対的に小さくなるため、噴射口が相対的に小さい噴射口同士が配置される間隔は相対的に狭くなり、一方、噴射口３０が相対的に大きい場合は被噴射領域も相対的に大きくなるため、噴射口が相対的に大きい噴射口同士が配置される間隔は相対的に大きくなる。
【００５３】
図５に示すように、袋状の平膜ろ材２２の濾過面における洗浄水の被噴射領域を噴射口３０に比べて大きくするために、各噴射口３０に洗浄水を扇状に散布するノズル３２を配置してもよい。ノズル３２を配置した場合、濾過面への打力としては被噴射領域あたり、平均して１．０〜５．０ｋｇ／ｃｍ２が望ましいが、１．５〜２．０ｋｇ／ｃｍ２が好適である。
【００５４】
また、図６（ａ）及び（ｂ）に示すように、ノズル３２の代わりに、断面が四角形の筒状体（パイプ形状）からなるフィルター洗浄用配管１の一面に、その長軸方向に所定の間隔をあけて一対の噴射口３０を複数設け（２列の噴射口が形成される）、一対の噴射口の間に断面がＹ字となる拡散板４１を設けてもよい。図７に示すように、断面がＹ字となる拡散板４１により、噴射口３０より噴射される洗浄水がフィルター洗浄用配管１を基準に対向して位置する２つのフィルターモジュール３の濾過面に洗浄水を噴射させることが可能となる。
【００５５】
このように、噴射口３０の各々に対応させて設けたノズルではなく、１枚の板体で構成された拡散板４１をフィルター洗浄用配管１の長軸方向にわたって設けた場合、経済的に安価で、しかも、容易にノズルと同等の効果、すなわち、扇状の噴射を得ることが可能となる。特に、噴射口３０の口径をフィルター洗浄用配管１の上端から下端にかけて変える構成を採用した場合、噴射口３０の口径に合わせてノズルを準備しなくてはならない。しかし、拡散板４１であれば、そのような煩わしさもなく、安価にかつ簡便に剥離モジュールを製造することが可能となる。
【００５６】
フィルター洗浄用配管１の噴射口から噴射される洗浄水は、パルス噴射（噴射口から間欠的に洗浄水をパルス噴射）させてもよい。パルス噴射することで、衝撃波を発生することが可能となり、袋状の平膜ろ材２２の濾過面の懸濁粒子の剥離効果を向上させると共に、洗浄水の節水も可能となる。パルス噴射は、特に、懸濁粒子が針状の場合に効果的である。
【００５７】
フィルター洗浄用配管１の噴射口３０から噴射される洗浄水は、気液混合水であってもよい。気液混合水は、図１において、洗浄水を送るためのポンプ２と洗浄水を送るための洗浄水用の配管５との間に、空気を供給するための空気供給部と、洗浄水に空気を溶解させる気泡溶解部と、気泡溶解部内を加圧して洗浄水に空気の溶解を促進させる加圧ポンプを備えることで、生成することが可能となる。
【００５８】
図８は、複数の噴射口３０より洗浄水が袋状の平膜ろ材２２に扇状に噴射されていることを示す図であり、図９は、図８の点線で囲まれた袋状の平膜ろ材２２における洗浄水の被噴射領域の一例を示す図である。図８又は図９に示すように、被噴射領域５０の各々は互いにオーバーラップする領域５１を有するようにしてもよい。例えば、ノズル３２または拡散板４１を用いた場合、洗浄水は扇状に噴射される。扇状に噴射された場合、扇状の端部は、被噴射面に対し、水量も打力も落ちてしまう一方、その中心部は打力も水量も相対的に大きくなり、全体として被噴射面に対する洗浄水の打力が不均一になってしまう。そこで、図８及び図９に示すように、ノズル３２または拡散板４１から噴射される洗浄水の袋状の平膜ろ材における被噴射領域の各々を互いに一部オーバーラップさせることで、被噴射面への水量及び打力の均一化を図ることが可能となる。被噴射面への水量及び打力の均一化は、ろ材の濾過面に付着した懸濁粒子をまんべんなく剥離することが可能となり、長期かつ安定的に懸濁水濾過システムを運転することを可能とする。
【００５９】
フィルター洗浄用配管１には、さらに袋状の平膜ろ材２２の濾過面に付着した懸濁粒子を取り除くためのブラシやスクレーバなどを、洗浄水の噴射を阻害しない場所に補助的に設けてもよい。ところで、ブラシやスクレーバなどが、袋状の平膜ろ材２２の濾過面に当接する程度で袋状の平膜ろ材２２の濾過面の摩耗の程度が変わる。ブラシやスクレーバなどの先端が袋状の平膜ろ材２２の濾過面に触れる程度にすると、袋状の平膜ろ材２２の濾過面を摩耗させることなく、洗浄水による懸濁物質の剥離効果をより高めることが可能となり、特に針状若しくは球形状などの様々な形状の懸濁粒子を効果的に平膜ろ材２２の濾過面から剥離することが可能となる。
【００６０】
（フィルター洗浄用配管駆動部９）フィルター洗浄用配管駆動部９は、たとえば、図１に示すように、濾過槽の上部に、濾過槽８の長手方向に配置された一対のレールの上を動力伝達機（モーター駆動、チェーン、ワイヤー、油圧シリンダ、水圧シリンダ、ラックピニオン、ボールスプライン等）の駆動により移動する走行台車から構成されてもよい。
【００６１】
走行台車の幅は少なくとも一対のレールの幅に応じたものとするのが望ましい。また、走行台車には洗浄水管５から供給される洗浄水を各フィルター洗浄用配管１に分配するための分配管、それを制御する電磁弁が設けられる。剥離モジュールが走行台車に結合されることで、フィルターモジュール３の間に配置された剥離モジュールはフィルターモジュール３の濾過面に沿ってその移動可能となり、フィルターモジュール３の濾過面に付着した懸濁粒子をまんべんなく剥離することが可能となる。
【００６２】
走行台車は、タイマーなどで制御されて、定期的に往復動するように構成してもよい。
【００６３】
以上のとおり、本発明にかかる懸濁液ろ過システムによれば、工事現場（河川工事、浚渫工事、下水工事、道路工事）等で排出される懸濁水、工場設備（下水道、化学反応プロセス、無機物・金属研磨、無機物粉砕工程）等で排出される懸濁水、重金属汚水処理工程、放射性汚染物質処理工程、ウォータージェット切断工程、カッター等の切断工程、高炉から取り出されたスラグの冷却工程で排出される懸濁水の大量処理を、構造が簡単でろ過特性やメンテナンス性に優れ、長期的に安定して運転でき、しかも運転費用を抑えることが可能となる。
【符号の説明】
【００６４】
１  フィルター洗浄用配管
２  洗浄水を送るためのポンプ
３  フィルターモジュール
４  処理水を濾過槽から排出させる配管
５  洗浄水用の第１配管
６  バルブ
７  懸濁物質排出管
８  濾過槽
９  フィルター洗浄用配管駆動部
１０    懸濁水ろ過システム
１１  供給口
１３    洗浄水用の第２配管
１２    ポンプ
２１  形状保持管
２２  袋状に形成された平膜ろ材
２３  空間材
２４  取水口部
３０  噴射口
３２  ノズル
４１  拡散板
５０  袋状の平膜ろ材２２における被噴射領域
５１  袋状の平膜ろ材２２における被噴射領域のオーバーラップ領域
【図１】
2020131170.tif 000003
【図２】
2020131170.tif 000004
【図３】
2020131170.tif 000005
【図４】
2020131170.tif 000006
【図５】
2020131170.tif 000007
【図６】
2020131170.tif 000008
【図７】
2020131170.tif 000009
【図８】
2020131170.tif 000010
【図９】
2020131170.tif 000011